(57)【要約】【課題】本発明は、メモリーカード用コネクタに関し、メモリーカードをコネクタに挿着する際にワイピング効果を得られるようにし、且つ、飛び出しなどが無く容易に挿着できるようにすることが課題である。【解決手段】メモリーカード５を収納するコネクタであって、当該コネクタにおける本体４の後端部にコンタクト３が設けられ、該本体にはメモリーカード収納部４ａが設けられ、該本体の上面には天井板２が設けられ、前記本体４の前方は前記メモリーカード用の開口部４ｂが設けられてなり、前記天井板２は、前記コンタクトの接合部分を覆う後方天井部２ａと前記メモリーカード収納部の片側部の一部を覆う側方天井部２ｂとを有して構成されており、当該側方天井部にはメモリーカード収納部に収納されるメモリーカードの凹部５ａを有する側部形状に沿って該凹部に対応する突部２ｅが設けられているメモリーカード用コネクタ１とするものである。【選択図】図１
2007026986.tif 000002
【特許請求の範囲】
【請求項１】
メモリーカードを収納するコネクタであって、当該コネクタにおける本体の後端部にコンタクトが設けられ、該本体にはメモリーカード収納部が設けられ、該本体の上面には天井板が設けられ、前記本体の前方は前記メモリーカード用の開口部が設けられてなり、
前記天井板は、前記コンタクトの接合部分を覆う後方天井部と前記メモリーカード収納部の片側部の一部を覆う側方天井部とを有して構成されており、当該側方天井部にはメモリーカード収納部に収納されるメモリーカードの凹部を有する側部形状に沿って該凹部に対応する突部が設けられていること、
を特徴とするメモリーカード用コネクタ。
【請求項２】
メモリーカード収納部における、天井板の突部のある側の、側方部には、メモリーカードの側縁部を上に押し上げる押上げ手段と、コンタクト部分に挿着されたメモリーカードの凹部に係合して当該メモリーカードの前方への抜出しを防止するロック手段とが設けられていること、
を特徴とする請求項１に記載のメモリーカード用コネクタ。
【請求項３】
本体の上部には、メモリーカードを保護する荷重受け用の突起が設けられていること、
を特徴とする請求項１または２に記載のメモリーカード用コネクタ。
【発明の詳細な説明】
【技術分野】
【０００１】
本発明は、例えば携帯電話等に装備されるコネクタであり、主にマイクロＳＤ（ＳＤＡ：登録商標、以下同じ）カード用のコネクタに挿着して電気的に接続するためのメモリーカード用コネクタに関するものである。
【背景技術】
【０００２】
従来、メモリーカード用コネクタは、コネクタ本体に対して斜めに傾斜した蓋部材にメモリーカードを挿着して、この蓋を閉蓋させて、メモリーカードとコンタクトとを電気的に接続させ、メモリーカードを取り出すときには、前記蓋部材を上に開けてメモリーカードを取り出したり、または、スライドするイジェクト機構部にメモリーカードを載置してこれを押し込みコンタクトと電気的に接続し、取り出す時には更にもう一度押し込んで弾発体の付勢力でメモリーカードを外に取り出す、プッシュープッシュ式のコネクタが知られている（特許文献１参照）。
【特許文献１】特開２００３−７７５８６号公報
【発明の開示】
【発明が解決しようとする課題】
【０００３】
しかし、従来のメモリーカード用コネクタでは、例えば、蓋部材にメモリーカードを一旦挿着してこれを閉蓋するものにおいては、メモリーカードのコンタクトとコネクタ側のコンタクトとが当接して電気的に導通するので、その接触部に塵埃等が挟まる可能性があり、接続不良の原因となることがある。前記コンタクト同士の接触部においては、摺接によるワイピング効果が期待できないという課題がある。また、メモリーカードのイジェクト機構がプッシュープッシュ式のものにおいては、メモリーカードを取り出すときに素早く押すと、メモリーカードが勢いよく外に飛び出して無くなってしまうおそれがある。近年のメモリーカードはその大きさがますます小さくなり、幼児の口に入れることも可能となり、誤って飲み込んでしまうおそれもある。本発明に係るメモリーカード用コネクタは、このような課題を解決するために提案されたものである。
【課題を解決するための手段】
【０００４】
本発明に係るメモリーカード用コネクタの上記課題を解決して目的を達成するための要旨は、 メモリーカードを収納するコネクタであって、当該コネクタにおける本体の後端部にコンタクトが設けられ、該本体にはメモリーカード収納部が設けられ、該本体の上面には天井板が設けられ、前記本体の前方は前記メモリーカード用の開口部が設けられてなり、前記天井板は、前記コンタクトの接合部分を覆う後方天井部と前記メモリーカード収納部の片側部の一部を覆う側方天井部とを有して構成されており、当該側方天井部にはメモリーカード収納部に収納されるメモリーカードの凹部を有する側部形状に沿って該凹部に対応する突部が設けられていることである。
【０００５】
前記メモリーカード収納部における、天井板の突部のある側の、側方部には、メモリーカードの側縁部を上に押し上げる押上げ手段と、コンタクト部分に挿着されたメモリーカードの凹部に係合して当該メモリーカードの前方への抜出しを防止するロック手段とが設けられていること、；
前記本体の上部には、メモリーカードを保護する荷重受け用の突起が設けられていること、；
を含むものである。
【発明の効果】
【０００６】
本発明のメモリーカード用コネクタによれば、天井板がメモリーカード収納部の全範囲に亘って覆っている訳ではなく、図２（Ａ），（Ｂ）に示すように、この天井板２は、コンタクト３の接合部分３ａを覆う後方天井部２ａと、本体４におけるメモリーカード収納部４ａの片側部の一部を覆う側方天井部２ｂとを有して構成されているので、例えば、メモリーカードをこのメモリーカード収納部４ａに挿着する際には、図６に示すように、メモリーカード５を斜めに傾けて、直接的に、メモリーカード収納部内に挿着する事ができる。
【０００７】
そして、メモリーカード５の凹部５ａを有する側部形状と、当該凹部５ａに対応する突部２ｅが設けられている天井板２の側方天井部２ｂとを位置合わせて、メモリーカード５を水平に倒すことが出来て、そのメモリーカード５を本体後方に押し込んで、メモリーカード５のコンタクトと本体４のコンタクト３とが電気的に接続される。
【０００８】
メモリーカード５が後方に押し込まれることで、当該メモリーカードの側部が前記天井板２の側方天井部２ｂにより抑えられて、上部への浮き上がりが防止される。また、天井板の後方天井部２ａによりメモリーカード５の後方部が同時に抑えられる。
【０００９】
こうして、メモリーカード５の挿着がメモリーカード収納部４ａに一旦水平に収められて、その後に、後方へスライドされて挿着が完了する。このスライド動作により、メモリーカード５と本体４とにおけるコンタクト同士が摺接し、コンタクトのワイピング作用が行われ、電気接続を常に良好に保つ。また、ロック手段により、挿着したメモリーカードの前方への抜け出しが防止される。
【００１０】
前記メモリーカード収納部における、メモリーカードを上に押し上げる押上げ手段は、コンタクトから引き出したメモリーカードが前方に抜け飛び出るのを防止するストッパー手段をも兼用しており、メモリーカードの取り出しが安全で容易となり、本体の前方にメモリーカードを取り指す際に、前方への飛び出しが防止される。
【００１１】
また、コネクタにおける前記本体の上部には、メモリーカードを保護する荷重受け突起が設けられているので、メモリーカード収納部に収納されたメモリーカードが保護される。
【発明を実施するための最良の形態】
【００１２】
本発明に係るメモリーカード用コネクタ１は、図１に示すように、当該コネクタ１における合成樹脂製の絶縁本体４の後端部にコンタクト３が設けられ、該絶縁本体４にはメモリーカード収納部４ａが設けられ、該絶縁本体４の上面には天井板２が設けられ、前記絶縁本体４の前方は前記メモリーカード５用の開口部４ｂが設けられている。
【００１３】
前記天井板２は、金属製で、前記コンタクト３の接合部分３ａ（図２（Ａ）参照）を覆う後方天井部２ａと前記メモリーカード収納部４ａの片側部の一部を覆う側方天井部２ｂとを有し、該側方天井部２ｂを下に延設して側壁部２ｃがあり、更に、プリント基板（図示せず）に半田付けするための半田付け部２ｄが、４隅に設けられている。
【００１４】
前記側方天井部２ｂには、メモリーカード収納部４ａに収納されるメモリーカード５の凹部５ａを有する側部形状に沿って、該凹部５ａに対応する突部２ｅが設けられている。
【００１５】
また、メモリーカード収納部４ａにおける、天井板２の突部２ｅがある側の、側方部４ｃには、メモリーカード５を上に押し上げる押上げ手段２ｆと、コンタクト３に接合させたメモリーカード５が前方に抜け出ないように凹部５ａに係止してロックする、ロック手段６とが設けられている。
【００１６】
前記押上げ手段２ｆは、具体的には、図２（Ｂ）に示すように、天井板２の側方の一部を屈曲させて、ステンレス製等の弾性部材としたものである。この押上げ手段２は、絶縁本体４に設けられた凹部４ｄに収まるようにされている。
【００１７】
また、前記押上げ手段２ｆは、図２（Ａ）に示すように、メモリーカード５をコンタクト部から引き抜いた際に、当該メモリーカード５を天井板２の内側面に押しつけてその摩擦抵抗でストッパーとなるように兼用されるものであり、バネ部材で成形されたものである。また、前記ロック手段６も、図４に示すように、水平状態を保つようにされ、メモリーカード５の側縁部下面で押し下げられ、更に元に復帰するように、ステンレス製等のバネ材で形成されたものである。
【００１８】
更に、絶縁本体４の上部には、メモリーカード５を上下方向の圧力で潰されないように、保護する荷重受け突起が設けられている。具体的には、突起４ｅと突起４ｆであり、図２および図３に示すように、突起４ｅは天井板２の孔２ｇから上に突出し、突起４ｆは、天井板２における四角形状の孔２ｈから上に突出する。また、荷重を受ける３箇所目の受け部は、図２（Ｂ）に示すように、天井本体４の左側壁の上端面４ｇと天井板２の左側壁板の上端面２ｉとする。これで、前記突起４ｅ，４ｆの２箇所と、前記上端面４ｇ及び上端面２ｉとで合計３箇所で受けるものである。
【００１９】
更に、図２（Ｂ）に示すように、天井板２の左側壁板には、メモリーカード５の上方向への浮き上がりを防止する、押さえ板２ｊが略水平にして延設されている。この押さえ板２ｊに関しては、同図（Ｂ）に示すように、他の実施例として、略水平部分の折り曲げ量を一点鎖線で示す程度に少なくして、メモリーカード５の挿着時に邪魔に成らないようにして該メモリーカード５を入れやすくし、且つ、挿着後に当該メモリーカード５の左側縁部を押さえるようにすることもできる。
【００２０】
なお、このコネクタ１に主に収納されるメモリーカード５は、図５に示すように、例えば、マイクロＳＤカードであり、厚さが約１ｍｍ、幅が最大１１ｍｍ、奥行きが１５ｍｍ程度の小型メモリーカードである。符号５ａが凹部を示し、符号５ｂがコンタクト部を示している。
【００２１】
このように形成されるメモリーカード用コネクタ１の使用方法について説明する。図６（Ａ）に示すように、まず、メモリーカード５の左側面部を、メモリーカード収納部４ａを形成する左側壁に押し当てて、全体を斜めにして一部上面を押さえ板２ｊに引っ掛ける。前後方向には、後方天井部２ａの前天部にメモリーカード５の後端部を当てるように近接させる。
【００２２】
そして、図６（Ｂ）に示すように、メモリーカード５を水平に倒す。このとき、メモリーカード５の凹部５ａが、天井板２の突部２ｅと位置が合わさっている。メモリーカード５が水平状態になると、図７（Ａ）に示すように、このメモリーカード５を後方に押し込む。それにより、メモリーカード５のコンタクト部５ｂと、コネクタ１のコンタクト３とが摺接し、ワイピング効果が得られて、接触部が良好に保たれる。
【００２３】
また、図８に示すように、メモリーカード５が収納部４ａに収納されると、メモリーカード５の凹部５ａにロック手段６の先端屈曲部が入り込んで、前方にメモリーカード５が抜け出ないようにロックする。
【００２４】
更に、図９に示すように、押上げ手段２ｆによって、メモリーカード５がコンタクト部から引き出された時に、メモリーカード５の凹部５ａと突部２ｅとの位置が合うと、該メモリーカード５の右側部を上に押し上げる。よって、メモリーカード５は斜めに傾いた状態となって、メモリーカード５の右側に指をかけて更に斜めに傾けることで容易に取り出せるようになる。
【００２５】
また、この押上げ手段２ｆによって、メモリーカードがコンタクト部から引き抜かれた際に、前方に勢いよく飛び出すこともない。なお、メモリーカード５は、図９に示すように、水平状態にしたままで、開口部４ｂからモリーカード収納部４ａに挿着させることもできる。こうして、メモリーカード用コネクタ１に挿着されたメモリーカード５は、突部４ｅ，４ｆと上端面２ｉ，上端面４ｇとによって、上下方向の加重が支持されて、前記メモリーカード５を保護する。
【００２６】
本発明のメモリーカード用コネクタ１の他の実施例は、図１０に示すように、前記押上げ板２ｆと、前記ロック手段６とを、一つのバネ部材で兼用させるようにしたものである。このバネ７は、ロック部７ａと、押上げ部７ｂとが、直列的に設けられている。
【００２７】
これによると、図６（Ｂ）と図７（Ａ）とに示すように、メモリーカード５を収納部４ａに挿着すると、前記押上げ部７ｂがメモリーカード５の下面に当接して押し下げられ、一体に連続しているので、前記ロック部７ａも押し下げられる。また、このメモリーカード５が後方に押されて図７（Ｂ）に示すように、コンタクト部に挿着された完了状態では、前記ロック部７ａが凹部５ａに入り込み、前記押上げ部７ｂがメモリーカード５の下面を上方向に押し上げる。
【図面の簡単な説明】
【００２８】
【図１】本発明に係るメモリーカード用コネクタ１の平面図（Ａ）、側面図（Ｂ）、正面図（Ｃ）である。
【図２】同本発明のメモリーカード用コネクタ１を分解した場合の、絶縁本体４の平面図（Ａ）と、天井板２の平面図（Ｂ）とである。
【図３】同メモリーカード用コネクタ１に、メモリーカード５を水平に挿入する場合を説明する説明図である。
【図４】同図３の縦断面図である。
【図５】メモリーカード５の、側面図（Ａ）、平面図（Ｂ）、底面図（Ｃ）である。
【図６】メモリーカード５をメモリーカード用コネクタ１に挿着する様子を説明する説明図（Ａ），（Ｂ）である。
【図７】同メモリーカード５をメモリーカード用コネクタ１に挿着する様子を説明する説明図（Ａ），（Ｂ）である。
【図８】同メモリーカード用コネクタ１のロック手段６の作用を示す説明図である。
【図９】同メモリーカード用コネクタ１の押上げ手段２ｆの作用を示す説明図である。
【図１０】他の実施例に係るバネ７の平面図（Ａ）と、側面図（Ｂ）とである。
【符号の説明】
【００２９】
１          メモリーカード用コネクタ、                   
２          天井板、                        ２ａ        後方天井部、
２ｂ        側方天井部、                    ２ｃ        側壁部、
２ｄ        半田付け部、                    ２ｅ        突部、
２ｆ        押上げ手段                      ２ｇ        孔、
２ｈ        孔、                            ２ｉ        上端面、
２ｊ        押さえ板、
３          コンタクト、                    ３ａ        接合部分、
４          絶縁本体、                      ４ａ        メモリーカード収納部、
４ｂ        開口部、                        ４ｃ        側方部、
４ｄ        凹部、                          ４ｅ        突起、
４ｆ        突起、                          ４ｇ        上端面、
５          メモリーカード、                ５ａ        凹部、
５ｂ        コンタクト部
６          ロック手段、        
７          バネ、                          ７ａ        ロック部、
７ｂ        押上げ部。
【図１】
2007026986.tif 000003
【図２】
2007026986.tif 000004
【図３】
2007026986.tif 000005
【図４】
2007026986.tif 000006
【図５】
2007026986.tif 000007
【図６】
2007026986.tif 000008
【図７】
2007026986.tif 000009
【図８】
2007026986.tif 000010
【図９】
2007026986.tif 000011
【図１０】
2007026986.tif 000012